(57)【特許請求の範囲】
【請求項１】
圧縮機と、凝縮器と、減圧器と、蒸発器を備え、冷媒を前記圧縮機、前記凝縮器、前記減圧器、前記蒸発器、次に再び前記圧縮機の順に循環させて冷凍サイクルを形成し、冷凍庫内に前記蒸発器を備えて前記冷凍庫内を冷凍冷却し、前記圧縮機、前記凝縮器、および前記減圧器を前記冷凍庫外に備え、台を備え、前記台にキャスタを備え、前記台にて前記圧縮機、前記凝縮器、および前記減圧器を移動可能とし、前記蒸発器と前記減圧器間を着脱自在に連結する着脱自在連結手段Ａと、前記蒸発器と前記圧縮機間を着脱自在に連結する着脱自在連結手段Ｂを備え、前記着脱自在連結手段Ａおよび前記着脱自在連結手段Ｂは前記蒸発器と前記減圧器間および前記蒸発器と前記圧縮機間の取り外し時に前記冷媒が漏れ出ない冷媒漏れ防止手段を備え、前記着脱自在連結手段Ａおよび前記着脱自在連結手段Ｂ内の前記冷媒、あるいは空気を排出する排出手段を備え、前記着脱自在連結手段Ａ、前記着脱自在連結手段Ｂ、および前記排出手段を前記冷凍庫外に備え、前記圧縮機の故障時に前記排出手段により前記着脱自在連結手段Ａおよび前記着脱自在連結手段Ｂ内の前記冷媒を回収してメンテナンスを行う冷凍機。
【請求項２】
着脱自在連結手段Ａ、および着脱自在連結手段Ｂは、それぞれ２個の弁と、前記２個の弁を連結する配管と、前記配管を連結自在に連結する連結自在連結手段を備えた請求項１記載の冷凍機。
【請求項３】
連結自在連結手段を着脱自在の継ぎ手とした請求項２記載の冷凍機。
【請求項４】
排出手段を弁を介して真空ポンプにより排出するとした請求項１乃至３のいずれかに記載の冷凍機。
【発明の詳細な説明】
【技術分野】
【０００１】
本発明は、−６０℃以下、略−６０℃〜−１２０℃程度、−８０℃程度の極低温環境に保冷する冷凍庫内を冷凍、冷却、あるいは保冷する冷凍機に関するものである。
【背景技術】
【０００２】
従来、この種の冷凍機は、冷凍機である冷却ユニットと冷凍庫が着脱自在に接続されたものが知られている（例えば、特許文献１参照）。
【０００３】
以下、その冷凍機について図４を参照しながら説明する。
【０００４】
図４に示すように、冷凍機である冷却ユニット１０１は、箱形に形成された冷却ユニット本体１０２の内部に、図示していないが、フロンガスを冷媒として冷凍サイクルを構成する圧縮機、凝縮器、蒸発器が収納されている。
【０００５】
また、冷却ユニット本体１０２の左右両側面にはそれぞれ空気吸入ダクト１０４と空気吐出ダクト１０５が設けられ、空気吸入ダクト１０４によりショーケース１０３から吸入した空気を冷却ユニット１０１により冷却し、冷却ユニット１０１により冷却された冷却空気を空気吐出ダクト１０５から、冷凍庫であるショーケース１０３に送り、冷凍庫であるショーケース１０３内を冷却、保冷する。
【０００６】
冷却ユニット１０１には底面に４個の車輪１０６が設けられ、移動可能としている。また、空気吸入ダクト１０４と空気吐出ダクト１０５は着脱自在に冷凍庫であるショーケース１０３と接続されている。
【先行技術文献】
【特許文献】
【０００７】
【特許文献１】特開２００６−１９４４８９号公報
【発明の概要】
【発明が解決しようとする課題】
【０００８】
このような従来の冷凍庫においては、冷凍機のメンテナンス時に、着脱自在の空気吸入ダクトと空気吐出ダクトを外して、底面に設けられた車輪により、冷凍機である冷却ユニットを取り外し移動可能な構成となっていたので、蒸発器が冷凍庫の外にあり、断熱材で断熱したとしても、冷凍機のメンテナンス時に冷凍機が運転停止した際に、蒸発器が保有する蒸発器の冷熱が冷凍庫外に逃げ、冷凍機の運転停止時に蒸発器が保有する冷熱の有効利用が図れず、冷凍庫内の保冷が維持できないという課題を有していた。
【０００９】
そこで本発明は、上記従来の課題を解決するものであり、冷凍機の故障あるいはメンテナンスなどの運転停止時に、蒸発器が保有する冷熱の有効利用を図り、蒸発器の冷熱を冷凍庫外に逃がすことなく、冷凍庫内の保冷を維持し、メンテが容易な冷凍機を提供することを目的とする。
【課題を解決するための手段】
【００１０】
そして、この目的を達成するために、本発明は、圧縮機と、凝縮器と、減圧器と、蒸発器を備え、冷媒を前記圧縮機、前記凝縮器、前記減圧器、前記蒸発器、次に再び前記圧縮機の順に循環させて冷凍サイクルを形成し、冷凍庫内に前記蒸発器を備えて前記冷凍庫内を冷凍冷却し、前記圧縮機、前記凝縮器、および前記減圧器を前記冷凍庫外に備え、台を備え、前記台にキャスタを備え、前記台にて前記圧縮機、前記凝縮器、および前記減圧器を移動可能とし、前記蒸発器と前記減圧器間を着脱自在に連結する着脱自在連結手段Ａと、前記蒸発器と前記圧縮機間を着脱自在に連結する着脱自在連結手段Ｂを備え、前記着脱自在連結手段Ａおよび前記着脱自在連結手段Ｂは前記蒸発器と前記減圧器間および前記蒸発器と前記圧縮機間の取り外し時に前記冷媒が漏れ出ない冷媒漏れ防止手段を備え、前記着脱自在連結手段Ａおよび前記着脱自在連結手段Ｂ内の前記冷媒、あるいは空気を排出する排出手段を備え、前記着脱自在連結手段Ａ、前記着脱自在連結手段Ｂ、および前記排出手段を前記冷凍庫外に備え、前記圧縮機の故障時に前記排出手段により前記着脱自在連結手段Ａおよび前記着脱自在連結手段Ｂ内の前記冷媒を回収してメンテナンスを行う冷凍機、としたものである。
【００１１】
これにより、圧縮機の故障時に前記排出手段により着脱自在連結手段Ａおよび着脱自在連結手段Ｂ内の冷媒を回収してメンテナンスを行い、配管内の冷媒が空気中に漏れ出ないようにする。また、蒸発器を冷凍庫内に置いたまま、蒸発器以外の冷凍機を冷凍庫から着脱自在にでき、蒸発器以外の冷凍機のメンテが容易となり、冷凍機の運転が停止しても蒸発器は冷熱を保有しており、その保有する蒸発器の冷熱を冷凍庫外に逃がすことなく、蒸発器が保有する冷熱の有効利用が図られ、冷凍機の交換などのメンテナンス時の冷凍庫内の保冷が維持でき、メンテが容易な冷凍機を提供するものである。
【００１２】
また、本発明は、着脱自在連結手段Ａ、および着脱自在連結手段Ｂは、それぞれ２個の弁と、前記２個の弁を連結する配管と、前記配管を連結自在に連結する連結自在連結手段を備えた請求項１記載の冷凍機、としたものであり、これにより、蒸発器の冷熱を冷凍庫外に逃がすことなく、蒸発器が保有する冷熱の有効利用が図られ、冷凍庫内の保冷が維持でき、メンテが容易な冷凍機を提供するものである。
【００１３】
また、本発明は、連結自在連結手段を着脱自在の継ぎ手とした請求項２記載の冷凍機、としたものであり、これにより、蒸発器の冷熱を冷凍庫外に逃がすことなく、蒸発器が保有する冷熱の有効利用が図られ、冷凍庫内の保冷が維持でき、メンテが容易な冷凍機を提供するものである。
【００１４】
また、本発明は、排出手段を弁を介して真空ポンプにより排出するとした請求項１乃至３のいずれかに記載の冷凍機、としたものであり、これにより、容易に、着脱部分のフロンガス、あるいは空気を効率的に排出することができるという効果を奏する。
【発明の効果】
【００１５】
本発明によれば、圧縮機と、凝縮器と、減圧器と、蒸発器を備え、冷媒を前記圧縮機、前記凝縮器、前記減圧器、前記蒸発器、次に再び前記圧縮機の順に循環させて冷凍サイクルを形成し、冷凍庫内に前記蒸発器を備えて前記冷凍庫内を冷凍冷却し、前記圧縮機、前記凝縮器、および前記減圧器を前記冷凍庫外に備え、台を備え、前記台にキャスタを備え、前記台にて前記圧縮機、前記凝縮器、および前記減圧器を移動可能とし、前記蒸発器と前記減圧器間を着脱自在に連結する着脱自在連結手段Ａと、前記蒸発器と前記圧縮機間を着脱自在に連結する着脱自在連結手段Ｂを備え、前記着脱自在連結手段Ａおよび前記着脱自在連結手段Ｂは前記蒸発器と前記減圧器間および前記蒸発器と前記圧縮機間の取り外し時に前記冷媒が漏れ出ない冷媒漏れ防止手段を備え、前記着脱自在連結手段Ａおよび前記着脱自在連結手段Ｂ内の前記冷媒、あるいは空気を排出する排出手段を備え、前記着脱自在連結手段Ａ、前記着脱自在連結手段Ｂ、および前記排出手段を前記冷凍庫外に備え、前記圧縮機の故障時に前記排出手段により前記着脱自在連結手段Ａおよび前記着脱自在連結手段Ｂ内の前記冷媒を回収してメンテナンスを行う冷凍機、としたものであり、これにより、圧縮機の故障時に前記排出手段により着脱自在連結手段Ａおよび着脱自在連結手段Ｂ内の冷媒を回収してメンテナンスを行い、配管内の冷媒が空気中に漏れ出ないようにする。また、蒸発器を冷凍庫内に置いたまま、蒸発器以外の冷凍機を冷凍庫から着脱自在にでき、蒸発器以外の冷凍機のメンテが容易となり、冷凍機の運転が停止しても蒸発器は冷熱を保有しており、その保有する蒸発器の冷熱を冷凍庫外に逃がすことなく、蒸発器が保有する冷熱の有効利用が図られ、メンテナンス時の冷凍庫内の保冷が維持でき、メンテが容易な冷凍機を提供するという効果を得ることができる。
【図面の簡単な説明】
【００１６】
【図１】本発明の実施の形態１の冷凍機の構成図
【図２】同着脱自在を示す構成図
【図３】本発明の実施の形態２の冷凍機の着脱自在を示す構成図
【図４】従来の冷凍機の構成図
【発明を実施するための形態】
【００１７】
本発明の請求項１記載の冷凍機は、圧縮機と、凝縮器と、減圧器と、蒸発器を備え、冷媒を前記圧縮機、前記凝縮器、前記減圧器、前記蒸発器、次に再び前記圧縮機の順に循環させて冷凍サイクルを形成し、冷凍庫内に前記蒸発器を備えて前記冷凍庫内を冷凍冷却し、前記圧縮機、前記凝縮器、および前記減圧器を前記冷凍庫外に備え、台を備え、前記台にキャスタを備え、前記台にて前記圧縮機、前記凝縮器、および前記減圧器を移動可能とし、前記蒸発器と前記減圧器間を着脱自在に連結する着脱自在連結手段Ａと、前記蒸発器と前記圧縮機間を着脱自在に連結する着脱自在連結手段Ｂを備え、前記着脱自在連結手段Ａおよび前記着脱自在連結手段Ｂは前記蒸発器と前記減圧器間および前記蒸発器と前記圧縮機間の取り外し時に前記冷媒が漏れ出ない冷媒漏れ防止手段を備え、前記着脱自在連結手段Ａおよび前記着脱自在連結手段Ｂ内の前記冷媒、あるいは空気を排出する排出手段を備え、前記着脱自在連結手段Ａ、前記着脱自在連結手段Ｂ、および前記排出手段を前記冷凍庫外に備え、前記圧縮機の故障時に前記排出手段により前記着脱自在連結手段Ａおよび前記着脱自在連結手段Ｂ内の前記冷媒を回収してメンテナンスを行う冷凍機、という構成を有する。
【００１８】
これにより、圧縮機の故障時に前記排出手段により着脱自在連結手段Ａおよび着脱自在連結手段Ｂ内の冷媒を回収してメンテナンスを行い、配管内の冷媒が空気中に漏れ出ないようにする。また、蒸発器を冷凍庫内に置いたまま、蒸発器以外の冷凍機を冷凍庫から着脱自在にでき、蒸発器以外の冷凍機のメンテが容易となり、冷凍機の故障、あるいはメンテナンス等時に、運転が停止しても蒸発器は冷熱を保有しており、その保有する蒸発器の冷熱を冷凍庫外に逃がすことなく、蒸発器が保有する冷熱の有効利用が図られ、メンテナンス時の冷凍庫内の保冷が維持でき、メンテが容易な冷凍機を提供するという効果を奏する。
【００１９】
また、着脱自在連結手段Ａ、および着脱自在連結手段Ｂは、それぞれ２個の弁と、前記２個の弁を連結する配管と、前記配管を連結自在に連結する連結自在連結手段を備えた請求項１記載の冷凍機、という構成にしてもよい。
【００２０】
これにより、蒸発器を冷凍庫内に置いたまま、蒸発器以外の冷凍機を冷凍庫から着脱自在にでき、蒸発器の冷熱を冷凍庫外に逃がすことなく、蒸発器が保有する冷熱の有効利用が図られ、冷凍庫内の保冷が維持でき、メンテが容易な冷凍機を提供するという効果を奏する。
【００２１】
また、連結自在連結手段を着脱自在の継ぎ手とした請求項２記載の冷凍機、という構成にしてもよい。
【００２２】
これにより、蒸発器を冷凍庫内に置いたまま、蒸発器以外の冷凍機を冷凍庫から着脱自在にでき、蒸発器の冷熱を冷凍庫外に逃がすことなく、蒸発器が保有する冷熱の有効利用が図られ、冷凍庫内の保冷が維持でき、メンテが容易な冷凍機を提供するという効果を奏する。
【００２３】
また、排出手段を弁を介して真空ポンプにより排出するとした請求項１乃至３のいずれかに記載の冷凍機、という構成にしてもよい。これにより、容易に、着脱部分のフロンガス、あるいは空気を効率的に排出することができるという効果を奏する。
【００２４】
以下、本発明の実施の形態について図面を参照しながら説明する。
【００２５】
（実施の形態１）
図１および図２に示すように、冷凍機３７は、圧縮機１と、凝縮器２と、減圧器３と、蒸発器４を備え、Ｒ５０８Ａなどの冷媒を圧縮機１、次に凝縮器２、次に減圧器３、次に蒸発器４、次に再び圧縮機１の順に循環させて冷凍サイクルを形成し、冷凍庫５内に備えられた冷凍機３７の蒸発器４により冷凍庫５内を冷凍し、冷却し、あるいは保冷する。
【００２６】
冷凍庫５は、図示していないが、冷凍庫５内への冷凍物、冷却物、あるいは保冷物を出し入れする開口部を備え、開口部の蓋を含めて上部、底部および側面、側部等の周囲がウレタン、あるいはグラスウールなどの断熱材で断熱されて、−８０℃程度の極低温環境を維持している。保冷対象物が要求する温度、例えば、−６０℃以下、略−６０℃〜−１２０℃程度、あるいは略−８０℃程度の極低温環境で、食品、医薬品、医薬素材、蛋白、ＤＮＡなどの医療用材料、あるいは生体材料などを冷凍、冷却、あるいは保冷する。
【００２７】
蒸発器以外の冷凍機３０は、冷凍庫５内の蒸発器４以外の構成要素である圧縮機１と、凝縮器２と、減圧器３は、冷凍庫５の外で台６に載せられて、例えば、配管等で一体化して、キャスタ７により、移動可能に設けられている。減圧器３は、減圧できれば良く、例えば、膨張弁、あるいはキャピラリーチューブなどがあり、凝縮器２と、蒸発器４は、例えば、熱伝導性の良いステンレス、すなわちＳＵＳ、銅管、あるいはアルミ管等の熱交換器などがある。アルミフィン等を着けて熱交換性能を良くしても良い。
【００２８】
蒸発器４と減圧器３間を着脱自在に連結する着脱自在連結手段Ａ８と、蒸発器４と圧縮機１間を着脱自在に連結する着脱自在連結手段Ｂ９を備えている。
【００２９】
着脱自在連結手段Ａ８は、蒸発器４と減圧器３間を連結する配管１０、１１の間に、冷媒漏れ防止手段としての弁１２、１３を備え、弁１２、１３の間に、連結自在連結手段Ａ１４を備え、同様に、着脱自在連結手段Ｂ９は、蒸発器４と減圧器３間を連結する配管１５、１６の間に、冷媒漏れ防止手段としての弁１７、１８を備え、弁１７、１８の間に、連結自在連結手段Ｂ１９を備えている。
【００３０】
連結自在連結手段Ａ１４、および連結自在連結手段Ｂ１９は、それぞれ、蒸発器４と減圧器３間、および蒸発器４と圧縮機１間が容易に連結自在にできればよく、すなわち、配管１０と配管１１および配管１５と配管１６を容易に連結自在にできればよく、例えば、着脱自在の継ぎ手などがあり、着脱自在の継ぎ手としては、例えば、着脱自在のユニオン継ぎ手、あるいはフランジなどがあり、ユニオン継ぎ手としては、例えばユニオンソケットなどがある。
【００３１】
蒸発器４と減圧器３間の弁１２、１３の間に排出手段Ａ２０、および蒸発器４と圧縮機１間の弁１７、１８の間に、排出手段Ｂ２１を備えている。排出手段Ａ２０は、蒸発器４と減圧器３間の弁１２、１３間の配管から分岐した配管２２に弁２３、および弁２３の後段に真空手段２４を備えている。同様に、排出手段Ｂ２１は、蒸発器４と圧縮機１間の弁１７、１８間の配管から分岐した配管２５に弁２６、および弁２６の後段に真空手段２７を備えている。
【００３２】
真空手段２４、２７は、蒸発器４と減圧器３間の弁１２、１３間の配管２８内および蒸発器４と圧縮機１間の弁１７、１８間の配管２９内を略０．１ＭＰａ以下程度、例えば略０．３ｋＰａ程度に真空引きして、冷媒回収、あるいは空気を排出できればよく、例えば、真空ポンプなどがある。真空手段が別にある場合はその外部真空手段を使用することは差し支えない。
【００３３】
蒸発器４と減圧器３間、蒸発器４と圧縮機１間の配管１０、１１、１５、１６、２２、２５等は、例えば、銅管であり、ウレタン等の断熱材で覆われている。弁１２、１３、１７、１８、２３、２６等は、例えば、ＳＵＳ等が用いられている。
【００３４】
駆動部、機械部のある圧縮機１等の故障、あるいはメンテナンス時に、着脱自在連結手段Ａ８および着脱自在連結手段Ｂ９により、冷凍庫５内に備えられた蒸発器４と、冷凍庫５の外に備えられた蒸発器４以外の構成要素、すなわち、圧縮機１、凝縮器２、減圧器３、および図示はしていないが冷凍機の運転制御をする制御部などの構成要素を持つ蒸発器以外の冷凍機３０との間の配管の連結を外す。
【００３５】
その際、まず最初に、冷凍機の運転を止め、次に、着脱自在連結手段Ａ８および着脱自在連結手段Ｂ９の冷媒漏れ防止手段としての弁１２、１３、１７、および１８を閉にし、冷凍機運転中に閉じていた排出手段Ａ２０、および排出手段Ｂ２１の弁２３、２６を開にする。
【００３６】
真空ポンプ等の真空手段２４、２７により、蒸発器４と減圧器３間の弁１２、１３間の配管２８内、および蒸発器４と圧縮機１間の弁１７、１８間の配管２９内の冷媒を略０．３ｋＰａ程度に吸引し、その吸引により冷媒を回収して、配管内の冷媒が空気中に漏れ出ないようにする。冷媒としては、例えば、Ｒ５０８Ａなどがある。
【００３７】
配管２８、および配管２９内のＲ５０８Ａなどの冷媒回収後、真空ポンプ等の真空手段２４、２７による配管２８、および２９内の真空引きを止め、連結自在連結手段Ａ１４および連結自在連結手段Ｂ１９としての着脱自在継ぎ手、例えば、着脱自在継ぎ手としてのユニオン継ぎ手、例えば、ユニオンソケットなどにより、配管２８および２９の連結を外し、蒸発器以外の冷凍機３０を蒸発器４、すなわち冷凍庫５から取り外す。
【００３８】
蒸発器以外の冷凍機３０を蒸発器４との配管１０と１１の連結、および配管１５と１６の連結から取り外した後、交換用の蒸発器以外の冷凍機３０を連結、あるいは、蒸発器以外の冷凍機３０のメンテナンスが終了後にメンテナンスが終了した蒸発器以外の冷凍機３０を蒸発器４に、連結自在連結手段Ａ１４および連結自在連結手段Ｂ１９としての着脱自在継ぎ手、例えば、着脱自在継ぎ手としてのユニオン継ぎ手、例えば、ユニオンソケットなどにより、配管２８および２９を連結する。
【００３９】
着脱自在連結手段Ａ８および着脱自在連結手段Ｂ９の冷媒漏れ防止手段としての弁１２、１３、１７、および１８を閉にしたまま、排出手段Ａ２０、および排出手段Ｂ２１の弁２３、２６も開にしたまま、真空ポンプ等の真空手段２４、２７により、蒸発器４と減圧器３間の弁１２、１３間の配管２８内、および蒸発器４と圧縮機１間の弁１７、１８間の配管２９内の空気を略０．３ｋＰａ程度に吸引し、真空にする。
【００４０】
その後、蒸発器４と減圧器３間の弁１２、１３間の配管２８内、および蒸発器４と圧縮機１間の弁１７、１８間の配管２９内に、Ｒ５０８Ａなどの冷媒を、図示していないが、圧力計により圧力計測しながら、所定量、所定圧充填する。例えば、０．８ＭＰａ〜１．０ＭＰａ程度に充填する。運転時の圧力としては、略２．３ＭＰａ程度である。
【００４１】
蒸発器以外の冷凍機３０を蒸発器４との配管１０と１１の連結、および配管１５と１６の連結から取り外した後、蒸発器以外の冷凍機３０はキャスタ７で移動した後、メンテナンスに都合の良い場所で容易にメンテナンスされる。
【００４２】
このような構成により、蒸発器以外の冷凍機３０の着脱自在化による取り外しの容易化で、駆動部を持たない蒸発器４に比べて、メンテナンスの必要性がより高い駆動部を持つ圧縮機１等を容易に取り外し、移動可能とし、メンテナンスが容易となるとともに、蒸発器以外の冷凍機３０の交換、あるいは運転停止時に蒸発器４が保有する冷熱を冷凍庫５内の保冷に利用でき、メンテナンス時の冷凍庫５内の保冷が維持できることとなる。
【００４３】
また、駆動部が無く、メンテナンスの必要性がより低い蒸発器４を、駆動部を持ち故障する度合いがより高い蒸発器以外の冷凍機３０のメンテナンス、あるいは交換時に、冷凍庫５内にそのまま置くことができ、冷凍機３７の運転が停止しても、蒸発器４の持つ冷熱をそのまま、冷凍庫５内の冷凍、冷却、あるいは保冷に利用できる。
【００４４】
蒸発器４の持つ冷熱の有効利用が図られ、冷凍庫５内の保冷が維持でき、メンテ性の良い蒸発器以外の冷凍機３０、すなわち冷凍機３７が得られる。着脱自在により冷凍機３７、すなわち蒸発器以外の冷凍機３０の故障時に短時間での復旧が可能となる。
【００４５】
本実施の形態によれば、駆動部が無く故障する度合いの低い蒸発器４を冷凍庫５内に置いたまま、駆動部を持ち故障する度合いがより高い圧縮機１等を持つ蒸発器以外の冷凍機３０を冷凍庫５から着脱自在にでき、蒸発器以外の冷凍機３０のメンテが容易となる。
【００４６】
蒸発器以外の冷凍機３０、すなわち冷凍機３７の運転が停止しても蒸発器４は冷熱を保有しており、その保有する蒸発器４の冷熱を冷凍庫５外に逃がすことなく、蒸発器４が保有する冷熱の有効利用が図られ、メンテナンス等、冷凍機３７の運転停止時の冷凍庫５内の保冷が維持でき、メンテが容易な冷凍機３７を提供することとなる。
【００４７】
なお、図示はしていないが、冷凍機を低温用と高温用の２元冷凍機とし、低温側冷凍機に例えばＲ５０８Ａなどの冷媒を使用し、冷凍サイクルにより冷凍庫内を例えば、−６０℃以下、略−６０℃〜−１２０℃程度、−８０℃程度に冷却し、高温側冷凍機に例えばＲ４０４Ａなどの冷媒を使用し、冷凍サイクルにより例えば−３０℃程度に冷却し、その−３０℃程度に冷却された高温側冷凍機の冷熱を利用して、例えば低温側冷凍機の凝縮器と熱交換し、低温側冷凍機の冷凍、冷却性能を高めてもよい。
【００４８】
（実施の形態２）
図３において、図１および図２と同様の構成要素については同一の符号を付し、その詳細な説明は省略する。
【００４９】
図３は、冷凍機の別の着脱自在を示す構成図を示し、本発明の実施の形態１の図２において、連結自在連結手段Ａ１４および連結自在連結手段Ｂ１９としての着脱自在の継ぎ手として、例えば、ユニオン継ぎ手として、例えば、ユニオンソケットによる配管２８および２９の連結を外す一例を示したが、本実施例では、連結自在連結手段Ａ１４および連結自在連結手段Ｂ１９としての着脱自在の継ぎ手として、フランジを用いた例を示す。
【００５０】
蒸発器４と減圧器３間を連結する配管１０と配管１１の間の弁１２と弁１３の間の配管３１にフランジ３２、３３が備えられており、同様に、蒸発器４と圧縮機１間を連結する配管１５と配管１６の間の弁１７と弁１８の間の配管３４にフランジ３５、３６が備えられ、それぞれボルトナットで連結されたフランジ３２、３３、３５、３６を取り外すことで、配管１０と配管１１の連結、および配管１５と配管１６の連結が外される。
【００５１】
フランジ３２、フランジ３３、フランジ３５、フランジ３６により、配管１０と配管１１の連結、および配管１５と配管１６、すなわち、蒸発器４と減圧器３間および蒸発器４と圧縮機１間が容易に着脱自在に連結されることとなる。
【００５２】
フランジ３２、フランジ３３、フランジ３５、フランジ３６はそれぞれ２枚のフランジで１組のフランジとするもので、２枚のフランジを１組とするフランジ３２、３３、３５、３６が、それぞれボルトナットで連結自在にされているものである。
【産業上の利用可能性】
【００５３】
本発明にかかる冷凍機は、故障、あるいはメンテナンスなどにより冷凍機の運転が停止しても、蒸発器は冷熱を保有しており、その保有する蒸発器の冷熱を冷凍庫外に逃がすことなく、蒸発器が保有する冷熱の有効利用が図られ、メンテナンス時の冷凍庫内の保冷が維持でき、メンテが容易な冷凍機を提供するという効果を得ることができるものであるので、空調、食品分野等に使用される冷凍機、冷却機等として有用である。
【符号の説明】
【００５４】
１    圧縮機
２    凝縮器
３    減圧器
４    蒸発器
５    冷凍庫
６    台
７    キャスタ
８    着脱自在連結手段Ａ
９    着脱自在連結手段Ｂ
１０  配管
１１  配管
１２  弁
１３  弁
１４  連結自在連結手段Ａ
１５  配管
１６  配管
１７  弁
１８  弁
１９  連結自在連結手段Ｂ
２０  排出手段Ａ
２１  排出手段Ｂ
２２  配管
２３  弁
２４  真空手段
２５  配管
２６  弁
２７  真空手段
２８  配管
２９  配管
３０  蒸発器以外の冷凍機
３１  配管
３２  フランジ
３３  フランジ
３４  配管
３５  フランジ
３６  フランジ
３７  冷凍機
【図１】
0005934882.tif 000002
【図２】
0005934882.tif 000003
【図３】
0005934882.tif 000004
【図４】
0005934882.tif 000005